(57)【特許請求の範囲】
【請求項１】
土台側の断面略コの字状レール１と天井側の断面略コの字状レールとを有し、前記両レールの開口面は対向するように配置されると共に、前記レールの開口面に沿ってパネル材２を挿入乃至嵌合するようにし、前記土台側の断面略コの字状レール１と天井側の断面略コの字状レールとの間に柱材の断面略コの字状レール５が配設され、２本の柱材の断面略コの字状レール５の底辺10同士を断面略Ｈ字状に接合・固定したもの又は／及び２本の柱材の断面略コの字状レール５の底辺10と１つの立辺11とを接合・固定したものを有するようにしたことを特徴とするパネル構造体。
【発明の詳細な説明】
【技術分野】
【０００１】
この発明は、コンテナやスイミング・プールその他に適用が可能なパネル構造体に関するものである。
【背景技術】
【０００２】
従来より、コンテナを製造する際には次のようにしていた（例えば、特許文献１参照）。
すなわち、先ず基礎となる土台の枠組みを形成し、前記枠組みに柱材と天井とを固定する。そして、前記基礎と柱材と天井との間にパネル材を配設し押さえた状態で相互間をボルト留めしていた。
しかし、前記のようなボルト留めの作業は大変な手間であるという問題があった。
【特許文献１】特開平１０―２７３１４１号公報
【発明の開示】
【発明が解決しようとする課題】
【０００３】
そこでこの発明は、従来よりも組み立てに手間がかからないパネル構造体を提供しようとするものである。
【課題を解決するための手段】
【０００４】
前記課題を解決するためこの発明では次のような技術的手段を講じている。
(１)この発明のパネル構造は、土台側の断面略コの字状レールと天井側の断面略コの字状レールとを有し、前記両レールの開口面は対向するように配置されると共に、前記レールの開口面に沿ってパネル材を挿入乃至嵌合するようにしたことを特徴とする。
このパネル構造体は前記のような構成を有するので、土台側の断面略コの字状レールと天井側の断面略コの字状レールの開口面に沿ってパネル材を挿入乃至嵌合するだけで組み立てることができる。また、レールの形状を断面略コの字状としたので、その開口面の上方及びレールの長手方向のいずれの方向からもパネル材の挿入が可能でありフレキシブルな組み立てを行うことができる。なお、用途に応じて組み立てた後に更にボルトその他の締結手段によってしっかりと固定してもよい。
【０００５】
(２) 前記土台側の断面略コの字状レールと天井側の断面略コの字状レールとの間に柱材の断面略コの字状レールが配設され、２本の柱材の断面略コの字状レールの底辺同士を断面略Ｈ字状に接合・固定したもの又は／及び２本の柱材の断面略コの字状レールの底辺と１つの立辺とを接合・固定したものを有するようにしたこととしてもよい。
このように構成すると、土台側と天井側と柱材とに共通する断面略コの字状レールを予め用意し、２本の柱材の断面略コの字状レールの底辺同士を断面略Ｈ字状に接合・固定したものや２本の柱材の断面略コの字状レールの底辺と１つの立辺とを接合・固定したものを準備しておくことより、組み立て時には従来のような手間を大幅に省くことが出来る。例えば２本の柱材の断面略コの字状レールの底辺同士を断面略Ｈ字状に接合・固定したものは、２枚のパネル材の接合部分に用いることが出来、２本の柱材の断面略コの字状レールの底辺と１つの立辺とを接合・固定したものはパネル構造体の四隅部に用いることが出来る。断面略コの字状レール相互の接合部は、例えば点付け溶接などで固定することが出来る。
なお、前記断面略コの字状レールは１つの底辺とこの両端から立ち上がる２つの立辺とを有するが、２つの立辺の長さは必ずしも等しくなくてもよい。また、土台側と天井側の断面略コの字状レールに対する柱材の断面略コの字状レールの接合箇所は、その形状に対応して事前に切り欠いておくことが好ましい。
【０００６】
(３)スイミング・プール内を、前記パネル構造で区画するようにしてもよい。
このようにするとプール内を仕切って、複数の槽を分割することができる。例えば６コースで２５ｍ長さのプールについて３コース分は元のまま置いておき、残りの３コース分２５ｍの長さに沿って５等分して５メートル長さの槽を５個設けることができる。各槽の表面の水位は極力同じ高さにする。そして、区画した槽の相互間には、温度差を設けることもできる。このようにすると、比較的激しいエクササイズを行う槽では水温を低めに設定し、ゆったりしたエクササイズを行う槽では水温を高めに設定することできる。
なお、槽間を仕切るパネル材は透明性を有する板材、例えばアクリル板などで形成することが出来る。このように構成すると、プールを仕切って狭くなったという印象を利用者に出来るだけ起こさせないことが出来る。なお、プール内を塩水の槽と真水の槽とに仕切ることも出来る。
【０００７】
(４) スイミング・プールの壁面をパネル構造で覆うようにしてもよい。
プール壁面のタイルは貼り付けてから経時的に色褪せしてきて見栄えがだんだん悪くなってくるものであるが、タイルの貼り換えは容易には出来ないものである。ところが、このパネル構造を設置して覆うようによると、プールの壁面を例えば１ヶ月毎に新しいデザインのパネルで囲うことができるので、プールの利用者・愛好者に常に新鮮な外観でサービスを提供することが出来る。
その他に、工事現場などで連設されている仮設トイレにこのパネル構造を適用することができる。
【発明の効果】
【０００８】
この発明は上述のような構成であり、次の効果を有する。
レールの開口面に沿ってパネル材を挿入乃至嵌合するだけで組み立てることができるので、従来よりも組み立てに手間がかからないパネル構造体を提供することができる。
【発明を実施するための最良の形態】
【０００９】
以下、この発明の実施の形態を説明する。
（実施形態１）
図１に示すように、この実施形態のパネル構造体
(内容積が約１０ｍ３の横長で直方体状のコンテナを組み立てた)は、土台側の断面略コの字状レール１ (パネル材２の下側のため図にはっきりは表れず)と天井側の断面略コの字状レール(図示せず)とを有し、前記両レール(アルミニウム製)の開口面は対向するように配置されると共に、前記レールの開口面に沿ってパネル材２
(コンパネ)を挿入乃至嵌合するようにしている。
土台側の断面略コの字状レール１の下方には、構造体の基礎骨組み(図示せず)を溶接により形成しておき、土台側のレール１は基礎骨組みに固定する。また、パネル材２にヒンジ３を取り付けて開閉可能な扉４を形成している。気密性が必要な場合には接合箇所にパッキン(図示せず)を挿入していく。
【００１０】
前記土台側の断面略コの字状レール１と天井側の断面略コの字状レールとの間には、柱材の断面略コの字状レール(アルミニウム製)５を配設している。そして、２本の柱材の断面略コの字状レール５の底辺10同士を「断面略Ｈ字状」に接合・固定したものを有するようにしており、２枚のパネル材２の接合部分６
(モール７で囲んで保護するようにした)に用いる。また、２本の柱材の断面略コの字状レール５の「底辺10と１つの立辺11」とを接合・固定したものを有するようにしており、パネル構造体の四隅部８
(モール９で囲んで保護するようにした。左上部のみ図示)に用いる。
【００１１】
断面略コの字状レール相互の接合部は、例えば点付け溶接などで固定することが出来る。柱材等のレール相互の接合・固定は予め工場内で行っておくことにより、現場での組み立て効率を飛躍的に向上させることが出来る。
前記断面略コの字状レールは１つの底辺10とこの両端から立ち上がる２つの立辺11とを有するが、２つの立辺11の長さは必ずしも等しくなくてもよい。また、土台側と天井側の断面略コの字状レールに対する柱材の断面略コの字状レール５の接合箇所は、その形状に対応して事前に適宜切り欠いておくことが好ましい。なお、用途に応じて組み立てた後に更にボルトその他の締結手段によってしっかりと固定してもよい。
【００１２】
次に、この実施形態のパネル構造体の使用状態を説明する。
このパネル構造体(コンテナ)は前記のような構成を有するので、土台側の断面略コの字状レール１と天井側の断面略コの字状レールの開口面に沿ってパネル材２を挿入乃至嵌合するだけで組み立てることができ、従来よりも組み立てに手間がかからないという利点がある。また、レールの形状を断面略コの字状としたので、その開口面の上方及びレールの長手方向のいずれの方向からもパネル材２の挿入が可能でありフレキシブルな組み立てを行うことができる。
さらに、柱状で縦向きのコの字型レール５を適宜接合して、この内側にパネル材２を順に挿入していくだけでいいので作業が非常に楽になり短時間で組み立てを行うことができるという利点がある。そのうえ、土台側と天井側と柱材とに共通する断面略コの字状レールを予め用意し、２本の柱材の断面略コの字状レールの底辺10同士を断面略Ｈ字状に接合・固定したものや２本の柱材の断面略コの字状レールの底辺10と１つの立辺11とを接合・固定したものを予め準備しておくことより、組み立て時には従来のような手間を大幅に省くことが出来るという利点がある。
【００１３】
（実施形態２）
前記実施形態と異なる点を主に説明する。
この実施形態のパネル構造体は、スイミング・プールの水槽内をパネル構造で区画するようにしている。すなわち、６コースで２５ｍ長さのプール内を仕切って複数のゾーンに分割する。具体的には、全６コースのうち半分の３コースはそのまま水泳用に置いておき、残りの３コース分２５ｍの長さに沿って５等分して５メートル長さのゾーンを５個設けている。この５個のゾーンではそれぞれ水中で自転車漕ぎやボート漕ぎ、ウォーキングマシンなどを行う。
【００１４】
次のようにしてプール内面と５ゾーンに区画する面(６コースのうち３コース分の内周面とその間の４箇所の分割面)に沿ってパネル構造体を形成した。このパネル構造体は、土台側(プール底面の位置)の断面略コの字状レールと天井側(プール上端面に相当する位置)の断面略コの字状レールとを有し、前記両レール(アルミニウム製)の開口面は対向するように配置されると共に、前記レールの開口面に沿ってパネル材を挿入乃至嵌合するようにしている。レールとパネル材との間隙はコーキング剤を注入して塞ぐようにしている。
ゾーン相互を仕切るパネル材は透明性を有する板材すなわちアクリル板で形成しており、コンクリートなどを用いた場合と異なりプールを仕切って狭くなったという印象を利用者に抱かせ難い。各ゾーンの表面の水位は水圧差を生じさせないように同じ高さにすることが好ましい。
【００１５】
また、前記土台側の断面略コの字状レールと天井側の断面略コの字状レールとの間には、柱材の断面略コの字状レール(アルミニウム製)を配設している。そして、２本の柱材の断面略コの字状レールの底辺同士を「断面略Ｈ字状」に接合・固定したものを有するようにしており、２枚のパネル材の接合部分に用いる。また、２本の柱材の断面略コの字状レールの「底辺と１つの立辺」とを接合・固定したものを有するようにしており、パネル構造体の四隅部に用いる。断面略コの字状レール相互の接合部は、例えば点付け溶接などで固定する。柱材のレール相互の接合・固定は予め工場内で行っておくことにより、現場での組み立て効率を飛躍的に向上させることが出来る。
区画した５個のゾーンは、それぞれ床面が独立して昇降できるようにしており(パネル材は動かないようにしている)、例えば床面を上昇させた状態でお年寄りをゾーン内に案内してゆっくり床面を下降させ、水に浸かって自転車漕ぎなどを行ってもらう。浮力により体重の影響を少なくしつつ水による負荷がある状況でエクササイズを行う。これにより水中運動による健康増進に効果的に寄与することが出来る。
【００１６】
ここで、区画したゾーンの相互間には水の温度差を設けることもできる。このようにすると、比較的激しいエクササイズを行うゾーンでは水温を低めに設定し、ゆったりしたエクササイズを行うゾーンでは水温を高めに設定することできる。なお、プール内を塩水のゾーンと真水のゾーンとに仕切ることも出来る。このようにすると、塩水のゾーンでは体がそのまま水に浮く死海のような不思議な疑似体験を満喫することができる。
【００１７】
（実施形態３）
前記実施形態と異なる点を主に説明する。
この実施形態のパネル構造体は、６コースで２５ｍ長さのスイミング・プールの内壁面をパネル構造で覆うようにしている。すなわち、プール水槽の内周面の４面に沿って土台側(プール底面の位置)の断面略コの字状レールと天井側(プール上端面に相当する位置)の断面略コの字状レールとを有し、前記両レール(アルミニウム製)の開口面は対向するように配置されると共に、前記レールの開口面(プール水槽の内周面)に沿ってパネル材(防水処理したコンパネ)を挿入乃至嵌合するようにしている。レールとパネル材との間隙はコーキング剤を注入して塞ぐようにしている。
【００１８】
前記土台側の断面略コの字状レールと天井側の断面略コの字状レールとの間には、柱材の断面略コの字状レール(アルミニウム製)を配設している。そして、２本の柱材の断面略コの字状レールの底辺同士を「断面略Ｈ字状」に接合・固定したものを有するようにしており、隣接する２枚のパネル材の接合部分に用いることが出来る。また、２本の柱材の断面略コの字状レールの「底辺と１つの立辺」とを接合・固定したものを有するようにしており、パネル構造体の四隅部に用いる。断面略コの字状レール相互の接合部は、例えば点付け溶接などで固定しておく。柱材のレール相互の接合・固定は予め工場内で行っておくことにより、現場での組み立て効率を飛躍的に向上させることが出来る。
【００１９】
スイミング・プール壁面のタイルは当初貼り付けてからだんだん色褪せしてきて経時的に見栄えが悪くなってくるものであるが、タイルの貼り換えは容易には出来ない。そこで、プールのタイル面にこのパネル構造体を設置して覆うようにすると、プールの壁面を例えば１ヶ月毎に新しいデザインのパネルで囲うようにすることができ、常に新鮮な外観でエンターテインメント・サービスを提供することが出来る。
(その他)
工事現場などで連設されている複数の仮設トイレの各筐体にもこのパネル構造体を好適に適用することができる。
【産業上の利用可能性】
【００２０】
このパネル構造体は、コンテナの筐体、スイミング・プール、飲み水槽や排水槽などの水槽・水タンク、ハウジング、室内空間の間仕切りその他の種々の用途に適用することができる。
【図面の簡単な説明】
【００２１】
【図１】この発明のパネル構造体の実施形態１を説明するコンテナの平面図。
【符号の説明】
【００２２】
１  土台側の断面略コの字状レール
２  パネル材
５  柱材の断面略コの字状レール
10  底辺
11  立辺
【図１】
0005041413.tif 000002